(57)【特許請求の範囲】
【請求項１】
データを受信する端末に対するデータの再送を、Ｈｙｂｒｉｄ−ＡＲＱ（Ａｕｔｏｍａｔｉｃ  ｒｅｐｅａｔ  ＲｅＱｕｅｓｔ）方式によって行う送信装置において、
前記端末における受信品質の差分に関する差分情報を求める差分情報演算手段と、
前記差分情報に基づき、前記端末に対して前記データを送信するときの送信パラメータを制御する制御手段と、
前記送信パラメータにしたがい、前記データを、前記端末に送信する送信手段と
を備えることを特徴とする送信装置。
【請求項２】
前記送信パラメータは、前記データを送信する送信電力である
ことを特徴とする請求の範囲第１項に記載の送信装置。
【請求項３】
前記データを符号化して変調する符号化変調手段をさらに備え、
前記送信パラメータは、前記データを符号化する符号化方式、または前記データを変調する変調方式である
ことを特徴とする請求の範囲第１項に記載の送信装置。
【請求項４】
前記差分情報は、前記端末における現在の受信品質と、１回目のデータの送信時の受信品質との差である
ことを特徴とする請求の範囲第１項に記載の送信装置。
【請求項５】
前記差分情報は、前記端末における現在の受信品質と、１回目のデータの送信から前回のデータの再送までのデータの各送信時の受信品質の積算値との差である
ことを特徴とする請求の範囲第１項に記載の送信装置。
【請求項６】
前記端末から送信されてくる、前記端末における受信品質を表す受信品質メッセージを受信する受信手段をさらに備え、
前記差分情報演算手段は、前記受信手段で受信された前記受信品質メッセージを用いて、前記差分情報を求める
ことを特徴とする請求の範囲第１項に記載の送信装置。
【請求項７】
データを受信する端末に対するデータの再送を、Ｈｙｂｒｉｄ−ＡＲＱ（Ａｕｔｏｍａｔｉｃ  ｒｅｐｅａｔ  ＲｅＱｕｅｓｔ）方式によって行う送信装置の送信制御方法において、
前記端末における受信品質の差分に関する差分情報を求める差分情報演算ステップと、
前記差分情報に基づき、前記端末に対して前記データを送信するときの送信パラメータを制御する制御ステップと
を備えることを特徴とする送信制御方法。
【請求項８】
データを受信する端末に対するデータの再送を、Ｈｙｂｒｉｄ−ＡＲＱ（Ａｕｔｏｍａｔｉｃ  ｒｅｐｅａｔ  ＲｅＱｕｅｓｔ）方式によって行う送信装置の送信制御を、コンピュータに行わせるプログラムにおいて、
前記端末における受信品質の差分に関する差分情報を求める差分情報演算ステップと、
前記差分情報に基づき、前記端末に対して前記データを送信するときの送信パラメータを制御する制御ステップと
を備えることを特徴とするプログラム。
【発明の詳細な説明】
技術分野
本発明は、送信装置および送信制御方法に関し、より詳しくは、携帯電話等の通信システムにおいて用いられ、適応変調・符号化伝送に使用する受信情報に応じて再送時の送信電力、変調方式、符号化方式、パケット合成方法を適応し、効率よいパケット伝送を可能とする送信装置および送信制御方法に関する。即ち、本発明は、送信装置および送信制御方法に関し、特に、例えば、基地局から、携帯電話機などの端末に対して、データを、効率良く伝送することができるようにする送信装置および送信制御方法に関する。
背景技術
誤り訂正符号の符号化率と、多値変調度数を伝播路品質に応じて変化させ、伝播路品質が良いユーザには、雑音耐久特性を犠牲にする一方で、高速データ通信を提供し、伝播路品質が悪いユーザには、雑音耐久特性を重視し、低速データ通信を提供する適応変調・符号化率通信方式がある。また、再送方式として、再送制御（ＡＲＱ）と誤り訂正符号を組み合わせた伝送方式であるＨｙｂｒｉｄ  ＡＲＱ（Ａｕｔｏ  ｒｅｐｅａｔ  ＲｅＱｕｅｓｔ）がある。
ここで、Ｈｙｂｒｉｄ  ＡＲＱの詳細については、Ｄ．Ｃｈａｓｅ”Ｃｏｄｅ  Ｃｏｍｂｉｎｉｎｇ−  ａ  Ｍａｘｉｍｕｍ−Ｌｉｋｅｌｉｈｏｏｄ  Ｄｅｃｏｄｉｎｇ  Ａｐｐｒｏａｃｈ  ｆｏｒ  Ｃｏｍｂｉｎｉｎｇ  ａｎ  Ａｒｂｉｔｒａｒｙ  Ｎｕｍｂｅｒ  ｏｆ  Ｎｏｉｓｙ  Ｐａｃｋｅｔｓ”，ＩＥＥＥ  Ｔｒａｎｓ．Ｃｏｍｍｕ．，ｖｏｌ．３３，Ｎｏ．５，ｐｐ．３８５−３９３，Ｍａｙ，１９８５および、三木、新他、”Ｗ−ＣＤＭＡ下りリンク高速パケット伝送におけるＨｙｂｒｉｄ  ＡＲＱの特性”，電子情報通信学会技術研究報告、Ｖｏｌ．１００  Ｎｏ．３４３  ２０００−１０に記述されている。
適用変調・符号化率を用いた通信方式（以下、適宜、適応符号化変調方式という）は、無線通信システムにも近年導入されており、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）においても同様の方式が追加採用される見こみである。
適応符号化変調方式では、以下の基本手順により、基地局と端末との間で、適応変調・符号化率が実現される。
１．基地局から送信された信号の受信品質を端末が測定する。
２．端末は、測定結果を基地局に帰還する。
３．基地局は、端末から送信された受信品質メッセージから、最適となる変調方式・符号化率を決定し、決定した変調方式と符号に率を表す送信パラメータを端末に送信する。
４．基地局は、送信パラメータに基づきユーザデータを送信する。
５．端末は、送信パラメータを受信し、その送信パラメータに基づきデータ受信処理を行う。
６．端末は、基地局からの送信データが再送データであると判断した場合には、過去に誤りがあった受信データと送信されてきた再送データとを合成した後に誤り訂正処理を行う。
７．端末は、誤り訂正後の受信データに誤りが検出された場合に再送要求を、データを正確に受信できた場合には新規データ送信要求を基地局に返信する。
８．上記１−７を周期的に繰り返す。
この処理手順を示した様子が図１に示されている。図１では、基地局からの送信パラメータを端末に知らせるための下り制御チャネルと、基地局からのユーザデータを端末に送信する下りデータチャネルと、端末からの送信パラメータ要求を送信する上り制御チャネルとの関係を示してある。本図では上記ステップ１−７を所定のフレーム周期で行う例を示した。
即ち、図１において、端末は、現時点での端末における受信品質を測定し、その受信品質を表す受信品質メッセージを、上り制御チャネルによって、基地局に送信する。
基地局は、端末から送信されてくる受信品質メッセージから、端末における受信データの誤り率が所定値以下となるような変調方式と符号化率の組み合わせを決定し、その変調方式と符号化率を表す情報を、送信パラメータとして、下り制御チャネルによって、端末に送信する。さらに、基地局は、端末に送信した送信パラメータに対応する変調方式と符号化率にしたがい、ユーザデータを、下りデータチャネルによって、端末に送信する。
そして、端末は、基地局から先に送信されてくる送信パラメータを受信し、これにより、基地局から送信されてくるユーザデータの変調方式や符号化率などを認識する。さらに、端末は、その後に、基地局から送信されてくるユーザデータを受信し、先に受信した送信パラメータが表す変調方式に対応する復調方式による復調、および符号化率に対応する復号方式による復号を行う。端末は、復調および復号によって得られたユーザデータの誤り検出を行い、誤りが検出されなかった場合には、例えば、新たなユーザデータの要求と受信品質メッセージを、上り制御チャネルによって、基地局に送信する。なお、新たなユーザデータの要求は、その前に送信されてきたユーザデータを正常受信することができた旨をも表す。
一方、復調および復号によって得られたユーザデータに誤りが検出された場合、端末は、同一のユーザデータの再送を要求する再送要求メッセージを、上り制御チャネルによって、基地局に送信する。基地局は、再送要求メッセージを受信すると、ユーザデータを、端末に対して再送する。
端末は、基地局から再送されてきたユーザデータを受信し、そのユーザデータと、前回受信した、誤りが検出されたユーザデータとを合成し、誤り訂正処理を施す。そして、端末が、誤り訂正処理後のユーザデータの誤り検出を行い、誤りが検出された場合には、再度、再送要求メッセージを、基地局に送信し、以下、同様の処理を繰り返す。一方、誤り訂正後のユーザデータに誤りが検出されたなかった場合には、端末は、上述したように、例えば、新たなユーザデータの要求と受信品質メッセージを、上り制御チャネルによって、基地局に送信する。
なお、図１における下りデータチャネル、下り制御チャネル、上り制御チャネルにおける「下り」または「上り」の語は、基地局から端末に送信される信号のチャネル、または端末から基地局に送信される信号のチャネルに、それぞれ使用される。即ち、「下り」の語は、基地局から端末に送信される信号のチャネルの名称に使用される。また、「上り」の語は、端末から基地局に送信される信号のチャネルの名称に使用される。
また、送信パラメータとは、基地局から端末へのデータの送信にあたって必要となる各種のパラメータを意味する。従って、送信パラメータが表す情報は、基地局における符号化率や変調方式に限られない。
図２は、適応変調・符号化率を用いた通信方式（適応符号化変調方式）を実現する従来の基地局の構成例を示している。
基地局は、送受信共用装置１、逆拡散部２、電力制御ビット抽出部３、再送要求メッセージ抽出部４、受信品質メッセージ抽出部５、モード判定部６、制御部７、制御データ生成部８、符号化変調部９、電力調整部１０、拡散部１１、再送データバッファ１２、適応符号化変調部１３、アンテナ１４から構成される。
基地局は、送受信共用装置１、逆拡散部２にて、ユーザが使用する端末からの送信信号を復調する。
即ち、基地局には、例えば、携帯電話機その他のＰＤＡ（Ｐｅｒｓｏｎａｌ  Ｄｉｇｉｔａｌ  Ａｓｓｉｓｔａｎｔ）などでなる無線通信可能な端末から、スペクトル拡散された送信信号が送信される。この送信信号は、アンテナ１４で受信され、送受信共用装置１に供給される。送受信共用装置１は、アンテナ１４からの信号を受信し、必要な処理を施して、逆拡散部２に供給する。逆拡散部２は、送受信共用装置１から供給される信号をスペクトル逆拡散し、電力制御ビット抽出部３に供給する。
電力制御ビット抽出部３は、逆拡散部２から供給される信号から、電力制御ビットを抽出する。即ち、端末から基地局に送信されてくる送信信号には、図１で説明した下り制御チャネルの送信電力のアップまたはダウンを要求する１ビットのフラグである電力制御ビットが含まれており、電力制御ビット抽出部３は、逆拡散部２から供給される信号から、そのような電力制御ビットを抽出し、電力調整部１０に転送する。
電力制御ビット抽出部３は、逆拡散部２から供給される信号から、電力制御ビットを抽出するとともに、その信号を、再送要求メッセージ抽出部４に供給する。再送要求メッセージ抽出部４は、電力制御ビット抽出部３から供給される信号から、再送要求メッセージを抽出する。
即ち、端末から基地局に送信されてくる送信信号には、図１で説明したように、ユーザデータの再送を要求の有無を表す再送要求メッセージが含まれており、再送要求メッセージ抽出部４は、電力制御ビット抽出部３から供給される信号から、再送要求メッセージを抽出し、制御部７に転送する。
再送要求メッセージ抽出部４は、電力制御ビット抽出部３から供給される信号から、再送要求メッセージを抽出するとともに、その信号を、受信品質メッセージ抽出部５に供給する。受信品質メッセージ抽出部５は、再送要求メッセージ抽出部４から供給される信号から、受信品質メッセージを抽出する。
即ち、端末から基地局に送信されてくる送信信号には、図１で説明したように、端末における受信品質を表す受信品質メッセージが含まれており、受信品質メッセージ抽出部５は、再送要求メッセージ抽出部４から供給される信号から、受信品質メッセージを抽出し、モード判定部６に転送する。
ここで、端末と基地局との間でやりとりされる信号は、所定の時間長のフレームで構成されている。さらに、フレームは、例えば、０．６６６７ｍｓｅｃ（ミリ秒）単位のスロットが、複数であるＮスロットだけ配置されて構成されている。上述した電力制御ビットは、スロット毎に、端末から基地局に送信されるようになっており、従って、電力制御ビット抽出部３は、スロット毎に、電力制御ビットを抽出する。また、端末において、再送要求メッセージと受信品質メッセージは、フレーム単位で配置されるようになっており、従って、再送要求メッセージ抽出部４と受信品質メッセージ抽出部５は、フレーム単位で、再送要求メッセージと受信品質メッセージを、それぞれ抽出する。
モード判定部６では、受信品質メッセージと基地局が有する資源の状態から、最適となる変調方式と符号化率を決定し、符号資源および電力資源を、ユーザ（端末）に割り当てる。
即ち、いま、変調方式と符号化率の組み合わせを送信モードというものとすると、モード判定部６は、受信品質メッセージ抽出部５から供給される受信品質メッセージと、基地局の資源とから、送信モードを決定し、制御部７に供給する。
ここで、送信モードは、符号化率と変調方式の組み合わせによって、多数設けることが可能であるが、ここでは、説明を簡素化するため、図３に示す３つの送信モード＃０乃至＃２について説明する。
図３において、符号化率（符号化方式）には、Ｒ＝１／２とＲ＝３／４が設けられている。符号化率Ｒ＝１／２は、１ビットの入力データにつき、１ビットの冗長ビットが付加されることを意味し、符号化率Ｒ＝３／４は、３ビットの入力データにつき、１ビットの冗長ビットが付加されることを意味する。符号化率Ｒ＝１／２では、Ｒ＝３／４に比較して、入力データに対する冗長ビット数が多い分、誤り訂正能力が強いが、送信可能なデータ数が少なくなる。一方、符号化率Ｒ＝３／４では、Ｒ＝１／２に比較して、入力データに対する冗長ビット数が少ないため、誤り訂正能力は符号化率Ｒ＝１／２よりも劣るが、送信可能なデータ数は多くすることができる。
また、図３において、変調方式には、ＱＰＳＫ（Ｑｕａｄｒａｔｕｒｅ  Ｐｈａｓｅ  Ｓｈｉｆｔ  Ｋｅｙｉｎｇ）と１６ＱＡＭ（Ｑｕａｄｒａｔｕｒｅ  Ａｍｐｌｉｔｕｄｅ  Ｍｏｄｕｌａｔｉｏｎ）が設けられている。図４に示すように、ＱＰＳＫ変調では、符号化されたデータが、２ビット単位で、４シンボルのうちの１シンボルにマップされ（図４Ａ）、１６ＱＡＭでは、４ビット単位で、１６シンボルのうちの１シンボルにマップされる（図４Ｂ）。送信可能なシンボルレートを一定とすると、実際に送信可能なデータは１６ＱＡＭの方がＱＰＳＫよりも多くなるが、１６ＱＡＭでは、シンボル間の距離がＱＰＳＫに比較して短くなるために、雑音特性が悪くなるという特徴を持つ。
図３では、Ｒ＝１／２とＱＰＳＫの組み合わせ、Ｒ＝１／２と１６ＱＡＭの組み合わせ、Ｒ＝３／４と１６ＱＡＭの組み合わせが、それぞれ、送信モード＃０，＃１，＃２とされている。従って、データ転送量の関係は、送信モード＃０（Ｒ＝１／２，ＱＰＳＫ）＜送信モード＃１（Ｒ＝１／２，１６ＱＡＭ）＜送信モード＃２（Ｒ＝３／４，１６ＱＡＭ）となる。一方、雑音耐久特性の関係は、送信モード＃０（Ｒ＝１／２，ＱＰＳＫ）＞送信モード＃１（Ｒ＝１／２，１６ＱＡＭ）＞送信モード＃２（Ｒ＝３／４，１６ＱＡＭ）となる。
適応符号化変調方式によれば、雑音が少なく、伝送路が良好な場合（端末における受信品質が良好な場合）には、データ転送量が多い符号化率と変調方式の組み合わせ（送信モード）を選択することにより、効率の良いデータ伝送を行うことができる。また、雑音が多く、伝送路の状態が劣悪な場合（端末における受信品質が劣悪な場合）には、雑音耐久特性が高い符号化率と変調方式の組み合わせを選択することにより、データ転送量を抑圧し、誤り特性を強化することができる。
図２に戻り、制御部７は、まず、再送要求メッセージ抽出部４からの再送要求メッセージを確認し、再送要求がある場合には最初にユーザデータを送信したときと同一の送信モード（１回目のユーザデータの送信時の送信モード）と、再送であることを表す再送標識を、制御データ生成部８と適応符号化変調部１３に転送する。また、制御部７は、再送要求がない場合には、モード判定部６にて決定された送信モードを、制御データ生成部８と適応符号化変調部１３に転送する。
制御データ生成部８は、制御部７から供給される送信モードを、図１で説明した下り制御チャネルで送信される送信パラメータに含め、さらに、その送信パラメータを含む制御データを生成して、符号化変調部９に供給する。なお、制御データ生成部８は、制御部７から送信モードの他に、再送標識が供給された場合、その再送標識も送信パラメータに含める。符号化変調部９は、制御データ生成部８から供給される制御データを、予め定められた方式にて符号化変調処理し、その結果得られる変調信号を、電力調整部１０に供給する。
電力調整部１０では、電力制御ビット抽出部３より供給される電力制御ビットに従い、図１で説明した下り制御チャネルによるデータの送信電力を決定する。即ち、電力制御ビットは、例えば、上述したように、１ビットのフラグであり、電力調整部１０は、電力制御ビットが１の時には、下り制御チャネルの送信電力を１ｄＢ上げ、電力制御ビットが０の時には、下り制御チャネルの送信電力を１ｄＢ下げるように、符号化変調部９からの変調信号を処理する。これにより、下り制御チャネルのデータを最適な電力で端末に伝送する仕組みが提供される。なお、ＣＤＭＡを用いた通信では、このような下り制御チャネルの送信電力の制御が、一般的に用いられている。
電力調整部１０で送信電力が調整された変調信号は、拡散部１１に供給される。
一方、適応符号化変調部１３には、図１で説明した下りデータチャネルで送信されるユーザデータが配置されたパケットデータが供給される。そして、適応符号化変調部１３は、制御部７から供給される送信モードが表す符号化率によって、パケットデータを符号化し、さらに、その送信モードが表す変調方式によって変調処理を施す。適応符号化変調部１３は、このようにして、パケットデータを符号化、変調することにより得られる変調信号を、拡散部１１に供給する。
なお、適応符号化変調部１３に供給されるパケットデータは、再送データバッファ１２にも供給され、再送データバッファ１２は、そのパケットデータを一時記憶する。制御部７は、再送要求メッセージ抽出部４から供給される再送要求メッセージが、再送を要求することを表している場合、再送データバッファ１２を制御することにより、再送すべきパケットデータを、適応符号化変調部１３に供給させる。この場合、適応符号化変調部１３では、再送データバッファ１２から供給されるパケットデータ、即ち、前回送信されたのと同一のパケットデータが、上述したように符号化、変調され、その結果得られる変調信号が、拡散部１１に供給される。これにより、パケットデータの再送が行われる。
ここで、図５は、図３に示したように、３つの送信モード＃０乃至＃２が用意されている場合の適応符号化変調部１３の構成例を示している。
適応符号化変調部１３に入力されるパケットデータは、スイッチ２１に供給される。
そして、制御部７から供給される送信モードが、送信モード＃０の場合、スイッチ２１は端子２１ａを選択するとともに、スイッチ２４は端子２４ａを選択する。
端子２１ａは、符号化部２２ａに接続されており、従って、送信モードが＃０の場合、パケットデータは、スイッチ２１から符号化部２２ａに供給される。符号化部２２ａは、そこに供給されるパケットデータを、符号化率Ｒ＝１／２で符号化することにより、誤り訂正符号を付加し、その結果得られる符号化データをＱＰＳＫ変調部２３ａに供給する。ＱＰＳＫ変調部２３ａは、符号化部２２ａからの符号化データをＱＰＳＫ変調することにより変調シンボルマッピングし、その結果得られる変調信号を、スイッチ２４の端子２４ａに供給する。送信モードが＃０の場合、スイッチ２４は、上述したように、端子２４ａを選択しているから、ＱＰＳＫ変調部２３ａが出力する変調信号は、スイッチ２４を介して、拡散部１１（図２）に供給される。
また、制御部７から供給される送信モードが、送信モード＃１の場合、スイッチ２１は端子２１ｂを選択するとともに、スイッチ２４は端子２４ｂを選択する。端子２１ｂは、符号化部２２ｂに接続されており、従って、送信モードが＃１の場合、パケットデータは、スイッチ２１から符号化部２２ｂに供給される。符号化部２２ｂは、そこに供給されるパケットデータを、符号化率Ｒ＝１／２で符号化し、その結果得られる符号化データを１６ＱＡＭ変調部２３ｂに供給する。１６ＱＡＭ変調部２３ｂは、符号化部２２ｂからの符号化データを１６ＱＡＭ変調し、その結果得られる変調信号を、スイッチ２４の端子２４ｂに供給する。送信モードが＃１の場合、スイッチ２４は、上述したように、端子２４ｂを選択しているから、１６ＱＡＭ変調部２３ｂが出力する変調信号は、スイッチ２４を介して、拡散部１１（図２）に供給される。
さらに、制御部７から供給される送信モードが、送信モード＃２の場合、スイッチ２１は端子２１ｃを選択するとともに、スイッチ２４は端子２４ｃを選択する。端子２１ｃは、符号化部２２ｃに接続されており、従って、送信モードが＃２の場合、パケットデータは、スイッチ２１から符号化部２２ｃに供給される。符号化部２２ｃは、そこに供給されるパケットデータを、符号化率Ｒ＝３／４で符号化し、その結果得られる符号化データを１６ＱＡＭ変調部２３ｃに供給する。１６ＱＡＭ変調部２３ｃは、符号化部２２ｃからの符号化データを１６ＱＡＭ変調し、その結果得られる変調信号を、スイッチ２４の端子２４ｃに供給する。送信モードが＃２の場合、スイッチ２４は、上述したように、端子２４ｃを選択しているから、１６ＱＡＭ変調部２３ｃが出力する変調信号は、スイッチ２４を介して、拡散部１１（図２）に供給される。
再び、図２に戻り、拡散部１１は、電力調整部１０から供給される変調信号と、適応符号化変調部１３から供給される変調信号を、別々の拡散符号を用いてスペクトル拡散し、これにより得られる拡散信号を、送受信共用装置１に供給する。送受信共用装置１は、拡散部１１からの拡散信号に必要な処理を施し、アンテナ１４から電波として、端末に送出する。
ここで、電力調整部１０から供給される変調信号が、図１の下り制御チャネルの信号であり、適応符号化変調部１３から供給される変調信号が、図１の下りデータチャネルの信号である。
次に、図６は、適応変調・符号化率を用いた通信方式（適応符号化変調方式）を実現する従来の端末の構成例を示している。
端末（ユーザ端末）は、送受信共用装置３１、逆拡散部３２、制御チャネル受信品質推定部３３、電力制御ビット生成部３４、データチャネル受信品質推定部３５、受信品質メッセージ生成部３６、制御データ復調復号部３７、制御部３８、ユーザデータ復調復号部３９、誤り検出部４０、再送メッセージ生成部４１、再送要求メッセージ挿入部４２、受信品質メッセージ挿入部４３、電力制御ビット挿入部４４、拡散部４５、受信バッファ４６、アンテナ４７から構成される。
基地局から送出された送信信号は、アンテナ４７で受信され、送受信共用装置３１で必要な処理が施された後、逆拡散部３２に供給される。逆拡散部３２は、送受信共用装置３１からの信号をスペクトル逆拡散することにより、図１の下りデータチャネルの信号と、下り制御チャネルの信号に分離する。そして、逆拡散部３２は、下り制御チャネルの信号を、制御チャネル受信品質推定部３３と制御データ復調復号部３７に供給する。さらに、逆拡散部３２は、下りデータチャネルの信号を、データチャネル受信品質推定部３５とユーザデータ復調復号部３９に供給する。
制御チャネル受信品質推定部３３は、下り制御チャネルに時間多重されるパイロット信号から信号対雑音比（ＳＮＲ（Ｓｉｇｎａｌ  ｔｏ  Ｎｏｉｓｅ  Ｒａｔｉｏ））を推定する。即ち、図２では説明しなかったが、基地局において、拡散部１１は、電力調整部１０から供給される変調信号に、所定のパイロット信号を時間多重し、その後、スペクトル拡散を行うようになっており、従って、下り制御チャネルの信号には、電力調整部１０から供給される変調信号の他、パイロット信号が含まれる。制御チャネル受信品質推定部３３は、逆拡散部３２から供給される下り制御チャネルの信号のＳＮＲを、その信号に含まれるパイロット信号を用いて推定し、その推定ＳＮＲを、電力制御ビット生成部３４に供給する。
電力制御ビット生成部３４は、下り制御チャネルの推定ＳＮＲが、希望するＳＮＲよりも良い場合には値が０の電力制御ビットを、悪い場合には値が１の電力制御ビットを、電力制御ビット挿入部４４に出力する。ここで、制御チャネル受信品質推定部３３でのＳＮＲの推定と、電力制御ビット生成部３４での電力制御ビットの生成は、スロット毎に実行される。そして、上述したように、図２の基地局は、端末において下り制御チャネルが常に一定のＳＮＲで受信することができるように、電力制御ビットに基づき、下り制御チャネルの送信電力を制御する。
制御データ復調復号部３７は、逆拡散部３２から供給される下り制御チャネルの信号を復調、復号し、制御データを分離して、制御部３８に供給する。
制御部３８は、制御データ復調復号部３７から供給される制御データに配置されている、下りデータチャネルに適用される符号化率と変調方式の情報、即ち、送信モードを検出し、ユーザデータ復調復号部３９のモード設定（制御）を行う。
即ち、図７のフローチャートに示すように、制御部３８は、まず最初に、ステップＳ１において、制御データ復調復号部３７から供給される制御データから送信モードを検出し、ステップＳ２に進む。ステップＳ２では、制御部３８は、送信モードが表す変調方式がＱＰＳＫ変調であるかどうかを判定する。ステップＳ２において、送信モードが表す変調方式がＱＰＳＫ変調であると判定された場合、ステップＳ３に進み、制御部３８は、下りデータチャネルの信号を、ＱＰＳＫ復調し、さらに、符号化率Ｒ＝１／２で復号するように、ユーザデータ復調復号部３９を制御する。そして、制御部３８は、次の制御データが制御データ復調復号部３７から供給されるのを待って、ステップＳ３からＳ１に戻り、以下、同様の処理を繰り返す。
また、ステップＳ２において、送信モードが表す変調方式がＱＰＳＫ変調でないと判定された場合、ステップＳ４に進み、制御部３８は、送信モードが表す変調方式が１６ＱＡＭで、符号化率がＲ＝１／２であるかどうかを判定する。ステップＳ４において、送信モードが表す変調方式が１６ＱＡＭで、符号化率がＲ＝１／２であると判定された場合、ステップＳ５に進み、制御部３８は、下りデータチャネルの信号を、１６ＱＡＭ復調し、さらに、符号化率Ｒ＝１／２で復号するように、ユーザデータ復調復号部３９を制御する。そして、制御部３８は、次の制御データが制御データ復調復号部３７から供給されるのを待って、ステップＳ５からＳ１に戻り、以下、同様の処理を繰り返す。
一方、ステップＳ４において、送信モードが表す変調方式が１６ＱＡＭで、かつ符号化率がＲ＝１／２でないと判定された場合、ステップＳ６に進み、制御部３８は、送信モードが表す変調方式が１６ＱＡＭで、符号化率がＲ＝３／４であるかどうかを判定する。ステップＳ６において、送信モードが表す変調方式が１６ＱＡＭで、符号化率がＲ＝３／４であると判定された場合、ステップＳ７に進み、制御部３８は、下りデータチャネルの信号を、１６ＱＡＭ復調し、さらに、符号化率Ｒ＝３／４で復号するように、ユーザデータ復調復号部３９を制御する。そして、制御部３８は、次の制御データが制御データ復調復号部３７から供給されるのを待って、ステップＳ７からＳ１に戻り、以下、同様の処理を繰り返す。
また、ステップＳ６において、送信モードが表す変調方式が１６ＱＡＭで、かつ符号化率がＲ＝３／４でないと判定された場合、即ち、送信モードが、図３に示した３つのうちのいずれにも該当しない場合、制御部３８は、その送信モードは誤りであるとして、ユーザデータ復調復号部３９を特に制御せず、次の制御データが制御データ復調復号部３７から供給されるのを待って、ステップＳ６からＳ１に戻り、以下、同様の処理を繰り返す。
図６に戻り、データチャネル受信品質推定部３５は、逆拡散部３２から供給される下りデータチャネルの信号のＳＮＲを推定する。このＳＮＲの推定には、下りデータチャネル上に時間多重されるパイロットシンボルもしくは、下りデータチャネルと並列して送信されるパイロットチャネルシンボルが用いられる。
即ち、図２では説明しなかったが、拡散部１１は、適応符号化変調部１３から供給される変調信号に、所定のパイロット信号を時間多重し、その後、スペクトル拡散を行うようになっており、従って、下りデータチャネルの信号には、パイロット信号が含まれる。また、拡散部１１は、別のパイロット信号を、電力調整部１０や適応符号化変調部１３から供給される変調信号のスペクトル拡散に用いられる拡散符号とは異なる拡散符号によってスペクトル拡散し、送受信共用装置１およびアンテナ１４を介し、下りデータチャネルや下り制御チャネルと並列に送信するようになっている。
データチャネル受信品質推定部３５は、逆拡散部３２から供給される下りデータチャネルの信号のＳＮＲを、その信号に含まれるパイロット信号、または下りデータチャネルの信号と並列に送信されてくるパイロット信号を用いて推定し、その推定ＳＮＲを、受信品質メッセージ生成部３６に供給する。
受信品質メッセージ生成部３６は、データチャネル受信品質推定部３５から供給される下りデータチャネルの推定ＳＮＲを、端末における受信品質として、その受信品質を表す、所定のメッセージフォーマットの受信品質メッセージを生成し、受信品質メッセージ挿入部４３に供給する。
ここで、データチャネル受信品質推定部３５による下りデータチャネルのＳＮＲの推定と、受信品質メッセージ生成部３６による受信品質メッセージの生成は、フレーム毎に実行される。
一方、ユーザデータ復調復号部３９は、逆拡散部３２から供給される下りデータチャネルの信号を、図７で説明した制御部３８による制御にしたがって復号、復調し、その結果得られるユーザデータを、誤り検出部４０に供給する。なお、ユーザデータ復調復号部３９は、下りデータチャネルの信号を復号する際、その信号に、冗長ビットとして含まれている誤り訂正符号を用いて、ユーザデータの誤り訂正を行う。
誤り検出部４０は、例えば、Ｃｙｃｌｉｃ  Ｒｅｄｕｎｄａｎｃｙ  Ｃｈｅｃｋ（ＣＲＣ）を用いたパリティ検出を行い、ユーザデータ復調復号部３９で復号されたユーザデータに誤りがあるか否かを判定して、その判定結果を、再送要求メッセージ生成部４１と受信バッファ４６に供給する。
再送要求メッセージ生成部４１は、誤り検出部４０から、誤りがない旨の判定結果を受信した場合、例えば、値が０の再送要求メッセージを生成し、再送要求メッセージ挿入部４２に供給する。また、再送要求メッセージ生成部４１は、誤り検出部４０から、誤りがある旨の判定結果を受信した場合、例えば、値が１の再送要求メッセージを生成し、再送要求メッセージ挿入部４２に供給する。
再送要求メッセージ挿入部４２は、再送要求メッセージ生成部４１から供給される再送要求メッセージを、図１で説明した上り制御チャネルの信号にフレーミングし、受信品質メッセージ挿入部４３に供給する。受信品質メッセージ挿入部４３は、受信品質メッセージ生成部３６から供給される受信品質メッセージを、再送メッセージ挿入部４２から供給される上り制御チャネルの信号にフレーミングし、電力制御ビット挿入部４４に供給する。電力制御ビット挿入部４４は、電力制御ビット生成部３４から供給される電力制御ビットを、受信品質メッセージ挿入部４３から供給される上り制御チャネルの信号にフレーミングし、拡散部４５に供給する。拡散部４５は、電力制御ビット挿入部４４からの上り制御チャネルの信号をスペクトル拡散し、その結果得られる拡散信号を、送受信共用装置３１に供給する。送受信共用装置３１は、拡散部４５からの拡散信号に必要な処理を施し、電波として、アンテナ４７から送信する。
一方、ユーザデータ復調復号部３９は、上述したように、下りデータチャネルの信号を復調し、その復調の結果得られる符号化データを復号するが、このように符号化データを復号する他、その符号化データを、受信バッファ４６に供給する。
受信バッファ４６は、ユーザデータ復調部３９から供給される符号化データを一時記憶し、制御部３８による制御にしたがい、記憶している符号化データを、ユーザデータ復調復号部３９に供給する。
即ち、下りデータチャネルに配置されたユーザデータから誤りが検出された場合、上述したように、再送要求メッセージ生成部４１は、再送を要求する再送要求メッセージを生成し、この再送要求メッセージは、上り制御チャネルに配置されて送信される。
そして、図２の基地局は、再送を要求する再送要求メッセージを受信すると、上述したように、前回の送信時と同一のユーザデータ（が配置されたパケットデータ）を再送する。
基地局において、ユーザデータの再送が行われた場合、その再送されたユーザデータを含む下りデータチャネルの信号は、アンテナ４７、送受信共用装置３１、および逆拡散部３２において、上述した場合と同様に処理され、ユーザデータ復調復号部３９に供給される。
また、基地局において、ユーザデータが再送される場合、図２で説明したように、制御データには、再送を表す再送標識が含められる。制御部３８は、制御データに再送標識が含められている場合、受信バッファ４６を制御することにより、受信バッファ４６に記憶されている、再送されてきたユーザデータに対応する符号化データを、ユーザデータ復調復号部３９に供給させる。
従って、ユーザデータが再送されてきた場合、ユーザデータ復調復号部３９には、その再送されたユーザデータが配置された下りデータチャネルの信号が逆拡散部３２から供給される他、その再送されてきたユーザデータに対応する符号化データが受信バッファ４６から供給される。
制御部３８は、制御データに再送標識が含められている場合、上述したように、受信バッファ４６を制御する他、ユーザデータ復調復号部３９を、符号化データの合成を行うように制御する。
この場合、ユーザデータ復調復号部３９は、再送されたユーザデータが配置された下りデータチャネルの信号を復調し、符号化データを得た後、その再送されてきた符号化データと、受信バッファ４６から供給される符号化データとを合成することにより、ユーザデータの１ビットあたりのエネルギを大きくした符号化データを求める。この符号化データは、ユーザデータ復調復号部３９から受信バッファ４６に供給され、例えば上書きする形で記憶される。さらに、ユーザデータ復調復号部３９は、ユーザデータの１ビットあたりのエネルギを大きくした符号化データを、ユーザデータに復号し、誤り検出部４０に供給する。
誤り検出部４０は、上述したように、ユーザデータ変調複合部３９から供給されるユーザデータに誤りがあるかどうかを判定し、誤りがない場合、その旨の判定結果を出力するが、この誤りがない旨の判定結果は、再送要求メッセージ生成部４１の他、受信バッファ４６でも受信される。
受信バッファ４６は、ユーザデータに誤りがない旨の判定結果を受信すると、その記憶内容のうちの誤りがないユーザデータに対応する符号化データをクリアする。
以上のように、ユーザデータに誤りがある場合には、再送を要求し、再送されてきたデータと、過去に受信されたデータとを合成し、その合成による合成利得によって、ユーザデータの１ビットあたりのエネルギを大にして、ユーザデータの誤りを回復する再送方法が、Ｈｙｂｒｉｄ−ＡＲＱである。
適応符号化変調方式によれば、端末の受信情況（受信品質）に合わせてデータ伝送速度を変化することができ、より効率よくデータを端末側に伝送することが出来る。
ところで、上記構成では、基地局は端末の再送要求メッセージに応じてデータ再送の必要性を判断する。再送データは、過去に送信したデータと合成されるために、受信品質が最初にデータを送信した場合と一致する場合またはそれ以上の場合には、信号対干渉比が改善され、伝送効率が向上する。しかしながら、実際には、データ再送時には初期送信データ時よりも伝搬路特性が劣化している場合もあり、このような場合には、再送データを合成しても伝送効率が改善しない（再送データを合成する利得がない）場合があるという問題があった。
また、逆に、データ再送時には初期送信データ時よりも伝搬路特性が向上している場合もあり、このような場合には、再送データを過剰なエネルギを用いて再送していることとなり、無線資源を浪費することとなる。
発明の開示
本発明は、このような状況に鑑み、端末における受信品質に応じて、送信パラメータを制御することにより、利得がない再送を削減するとともに、過剰な無線資源の利用を抑制し、これにより、伝送効率の改善を図ることができるようにすることを目的とする。
本発明の送信装置は、端末における受信品質の差分に関する差分情報を求める差分情報演算手段と、差分情報に基づき、端末に対してデータを送信するときの送信パラメータを制御する制御手段とを備えることを特徴とする。
本発明の送信制御方法は、端末における受信品質の差分に関する差分情報を求める差分情報演算ステップと、差分情報に基づき、端末に対してデータを送信するときの送信パラメータを制御する制御ステップとを備えることを特徴とする。
本発明のプログラムは、端末における受信品質の差分に関する差分情報を求める差分情報演算ステップと、差分情報に基づき、端末に対してデータを送信するときの送信パラメータを制御する制御ステップとを備えることを特徴とする。
本発明の送信装置および送信制御方法、並びにプログラムにおいては、端末における受信品質の差分に関する差分情報が求められ、その差分情報に基づき、端末に対してデータを送信するときの送信パラメータが制御される。
発明を実施するための最良の形態
図８は、本発明を適用した基地局（装置）の一実施の形態の構成例を示している。なお、図中、図２における場合と対応する部分については、同一の符号を付してあり、以下では、その説明は、適宜省略する。
図８において、基地局は、送受信共用装置１、逆拡散部２、電力制御ビット抽出部３、再送要求メッセージ抽出部４、モード要求メッセージ抽出部５、モード判定部１１１、制御部１１２、制御データ生成部８、符号化変調部９、電力調整部１０、拡散部１１、データバッファ１２、適応符号化変調部１３、電力設定部１１３、データＳＮＲバッファ１１４から構成される。
従って、図８の基地局は、モード判定部６と制御部７に代えて、モード判定部１１１と制御部１１２がそれぞれ設けられているとともに、電力設定部１１３およびデータＳＮＲバッファ１１４が新たに設けられている他は、基本的に、図２の基地局と同様に構成されている。
モード判定部１１１は、図２のモード判定部６と同様に、受信品質メッセージ抽出部５から供給される受信品質メッセージと基地局の資源から、送信モードを決定する。さらに、モード判定部１１１には、再送要求メッセージ抽出部４から再送要求メッセージが供給されるようになっており、モード判定部１１１は、再送を要求する旨の再送要求メッセージを受信すると、受信品質メッセージ抽出部５から供給される受信品質メッセージが表す現在の受信品質（現受信品質）と、データＳＮＲバッファ１１４に記憶された過去の受信品質との差を演算し、その受信品質どうしの差（以下、適宜、受信品質差分という）を、制御部１１２に供給する。また、モード判定部１１１は、必要に応じて、受信品質差分に基づいて、送信モードを決定する。さらに、モード判定部１１１は、受信品質メッセージ抽出部５から供給される受信品質メッセージが表す現在の受信品質を、制御部１１２に供給する。
制御部１１２は、図２の制御部６と同様に、再送要求メッセージ抽出部４から供給される再送要求メッセージにしたがい、再送データバッファ１２を制御するとともに、モード判定部１１１から供給される送信モードにしたがい、適応符号化変調部１３の送信パラメータ、即ち、符号化率や変調方式を制御する。また、制御部１１２は、図２の制御部６と同様に、制御データの生成に必要な情報を、制御データ生成部８に供給する。さらに、制御部１１２は、モード判定部１１１から供給される差分情報に基づき、電力設定部１１３の送信パラメータ、即ち、適応符号化変調部１３が出力する信号の送信電力を制御する。また、制御部１１２は、モード判定部１１１から供給される現在の受信品質を、必要に応じて、データＳＮＲバッファ１１４に供給する。さらに、制御部１１２は、データＳＮＲバッファ１１４に記憶された受信品質を、必要に応じて更新する。
電力設定部１１３は、制御部１１２による制御にしたがい、適応符号化変調部１３が出力する信号の送信電力を調整し、拡散部１１に供給する。
データＳＮＲバッファ１１４は、制御部１１２から供給される受信品質などを記憶する。
次に、図８の基地局において、従来制御と異なる部分を以下に列挙する。
１．新規データ送信時には、制御部１１２は、送信したデータのタイムスロットで受信した受信品質メッセージをデータＳＮＲバッファ１１４に保存する。
２．再送要求メッセージ抽出部４で抽出された再送要求メッセージが再送の要求を表している場合には、モード判定部１１１にて以下の動作が実行される。
（１）データＳＮＲバッファ１１４から受信品質Ｑｐｒｖを転送する。
（２）過去の受信品質Ｑｐｒｖと現在報告された受信品質Ｑｎｏｗを比較する。
（３）受信品質Ｑｎｏｗが過去の受信品質Ｑｐｒｖよりもある閾値ＴＨｘ［ｄＢ］（ＤｅｃｉＢｅｌ）以上低い場合には、送信パラメータの変更が必要であると判断し、以下３．または４．の処理を行う。それ以外の場合には、送信パラメータの変更は不要とし、５．の処理を行う。
３．送信電力をｙｄＢ上げることが可能な場合には以下の要領でデータの再送を行う。ここでのｙは、（過去の受信品質Ｑｐｒｖ−現在の受信品質Ｑｎｏｗ−ＴＨｘ）とする。
（１）送信電力をｙｄＢ≦Ｐｕｐ≦Ｐａｖ１を満たすＰｕｐ分だけアップする。ここで、Ｐａｖ１とは、基地局において、現時点で１人のユーザに割り当てられる資源の最大値を意味する。
（２）この場合、変調方式、符号化率は過去と同じものを選択する。
（３）データＳＮＲバッファ１１４に記憶された受信品質Ｑｐｒｖの値を更新する。更新された受信品質Ｑｐｒｖは、Ｑｐｒｖ←Ｑｐｒｖ＋Ｑｎｏｗ＋Ｐｕｐである。従って、Ｐｕｐ＝ｙのときは、過去の受信品質Ｑｐｒｖは、２Ｑｐｒｖ−ＴＨｘに更新される。
（４）送信データは、再送データであること、かつ過去に送信したユーザデータと同じ変調モード、符号化方式（符号化率）であることを下り制御チャネルにて端末に送信する。この場合、端末側では、受信バッファ４６（図６）に一時的に格納されているデータと改めて送信されてきたデータの合成が可能である。ここで、端末の構成、動作は、図６で説明したのと同一であるため、その説明は、省略する。
（５）ユーザデータを再送する。
４．送信電力をｙｄＢ上げることが不可能な場合には以下の要領でデータの再送を行う。ここでのｙは、上述同様、（過去の受信品質Ｑｐｒｖ−現在の受信品質Ｑｎｏｗ−ＴＨｘ）とする。
（１）変調モード、符号化方式を現在の受信品質Ｑｎｏｗに応じて選択する。
（２）データＳＮＲバッファ１１４の値Ｑｐｒｖを現在の受信品質値Ｑｎｏｗに更新する。
（３）送信データは、再送データであること、かつ過去に送信したユーザデータと異なる変調モード、符号化方式であることを下り制御チャネルにて送信する。この場合、端末側で受信バッファ４６に記憶されているデータとの合成は行わない。
（４）ユーザデータを再送する。
５．以下の要領でデータの再送を行う。
（１）送信電力、変調モード、符号化方式は過去に送信したユーザデータと同じものを選択する。
（２）データＳＮＲバッファ１１４の値Ｑｐｒｖを、過去の受信品質Ｑｐｒｖ＋現在の受信品質値Ｑｎｏｗに更新する。
（３）送信データは、再送データであること、かつ過去に送信されたデータと同じ変調モード、符号化方式であることを、下り制御チャネルにて送信する。この場合、端末側で受信バッファ４６に記憶されたデータとの合成が可能である。
（４）ユーザデータを再送する。
図９は、図８の基地局で行われるデータ再送と端末における受信品質との関係を示している。
図９において、▲１▼は初回の送信、つまり新規データを、ある送信パラメータを用いて送信する場合を示している。このときの受信品質Ｑｎｏｗをａとする。図９の例では、初回の送信で送信されてきたデータに誤りがあると端末で判断されたため、端末から基地局にＮＡＣＫが送信されてきたことを想定としている。ここで、ＮＡＣＫとは、再送を要求する旨の再送要求メッセージを意味する。
この場合、▲２▼においては、ａ（Ｑｐｒｖ）＜ｂ（Ｑｎｏｗ）＋ＴＨｘなので、上述の５．の再送処理が行われる。再送データは、▲１▼のときと同一の送信パラメータで再送される。▲２▼の場合の更新された受信品質はＱｐｒｖ＋Ｑｎｏｗで、ａ＋ｂとなる。
さらに、図９では、▲２▼の再送データに対しても端末側で誤りが検出されたため、端末から基地局にＮＡＣＫが送信され、再度▲３▼で同一データが再送されている。▲３▼においても、ａ＋ｂ（Ｑｐｒｖ）＜ｃ（Ｑｎｏｗ）＋ＴＨｘなので、上述の５．の再送処理が行われる。再送データは、▲１▼のときと同一の送信パラメータで再送される。▲３▼の場合の更新された受信品質はＱｐｒｖ＋Ｑｎｏｗで、ａ＋ｂ＋ｃとなる。
また、図９では、▲３▼の再送データに対しても端末側で誤りが検出されたため、端末から基地局にＮＡＣＫが送信されている。ただし、▲４▼の場合においては、ａ＋ｂ＋ｃ（Ｑｐｒｖ）＞ｄ（Ｑｎｏｗ）＋ＴＨｘなので、上述の３．または４．の処理が行われる。いずれの処理が行われるかは、▲４▼の時点で割り当て可能なパワーがあるか否かによって、即ち、割り当て可能なパワー（Ｐａｖ１）＞ａ＋ｂ＋ｃ（Ｑｐｒｖ）−ｄ（Ｑｎｏｗ）−ＴＨｘが成立するかどうかによって決定される。
充分なパワーがあれば、送信パラメータのうち送信電力を上げ、過去と同じ送信モード（符号化率と変調方式）で再送データが送信される。このとき、受信品質はＱｐｒｖ＋Ｑｎｏｗ＋Ｐｕｐ＝ａ＋Ｂ＋ｃ＋ｄ＋Ｐｕｐに更新される。Ｐｕｐ＝ｙであれば、ｙ＝ａ＋ｂ＋ｃ−ｄ−ＴＨｘであるから、更新された受信品質は、２（ａ＋ｂ＋ｃ）−ＴＨｘとなる。
充分なパワーが無い場合には、現在の受信品質ｄに基づいて、送信パラメータのうち、送信モード（符号化率と変調方式）が決定される。そして、データＳＮＲバッファ１１４に記憶された受信品質Ｑｐｒｖを現在の受信品質ｄに更新し、再送データを新規データとして端末に送信する。
以上のように、再送時の合成利得を考慮して再送送信パラメータを変化させることにより、効率よい再送方式を提供し、無線資源の有効活用を図ることができる。また、適応変調符号化方式用の受信品質メッセージを用い、現時点の受信品質と過去送信時の受信品質を比較することにより再送データの合成利得を正確に推定することが可能となる。
次に、図１０のフローチャートを参照して、図８の基地局の処理について、さらに説明する。
まず最初に、ステップＳ１１において、端末から送信されてくる上り制御チャネルの信号が受信される。
即ち、端末から送信されてくる上り制御チャネルの信号は、アンテナ１４で受信され、送受信共用装置１および逆拡散部２を介して、電力制御ビット抽出部３に供給される。
そして、ステップＳ１２に進み、電力制御ビット抽出部３は、そこに供給される上り制御チャネルの信号から電力制御ビットを抽出し、その電力制御ビットを電力調整部１０に供給するとともに、上り制御チャネルの信号を、再送要求メッセージ抽出部４に供給して、ステップＳ１４に進む。
ステップＳ１４では、再送要求メッセージ抽出部４が、そこに供給される上り制御チャネルの信号から再送要求メッセージを抽出し、その再送要求メッセージを、モード判定部１１１および制御部１１２に供給するとともに、上り制御チャネルの信号を、受信品質メッセージ抽出部５に供給する。さらに、ステップＳ１４では、モード判定部１１１および制御部１１２が、再送要求メッセージ抽出部４から供給された再送要求メッセージが再送を要求するものであるかどうかを判定する。
ステップＳ１４において、再送要求メッセージが再送を要求するものであると判定された場合、ステップＳ２０に進み、後述する再送処理が行われ、ステップＳ１１に戻る。
また、ステップＳ１４において、再送要求メッセージが再送を要求するものでないと判定された場合、ステップＳ１５に進み、受信品質メッセージ抽出部５が、再送要求メッセージ抽出部４から供給される上り制御チャネルの信号から受信品質メッセージを抽出し、モード判定部１１１に供給して、ステップＳ１６に進む。
ステップＳ１６では、モード判定部１１１が、受信品質メッセージ抽出部５から供給される受信品質メッセージが表す、端末における現在の受信品質に基づき、適応符号化変調部１３における符号化率と変調方式（送信モード）を決定する。
即ち、モード判定部１１１は、例えば、端末における現在の受信品質に基づいて、端末側での誤り率が所定値以下となるように、送信モードを決定する。
さらに、ステップＳ１６では、モード判定部１１１は、決定した送信モードを、端末における現在の受信品質とともに、制御部１１２に供給して、ステップＳ１７に進む。
ステップＳ１７では、制御部１１２が、モード判定部１１１から供給された送信モードを制御データ生成部８に供給し、制御データ生成部８は、その送信モードを、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
その後、ステップＳ１８に進み、制御部１１２が、モード判定部１１１から供給された送信モードと端末における現在の受信品質を、データＳＮＲバッファ１１４に供給し、上書きする形で記憶させ、ステップＳ１９に進む。
ステップＳ１９では、端末宛の新規のユーザデータが、モード判定部１１１で決定された送信モードで送信される。
即ち、ステップＳ１９では、端末宛の新規のユーザデータが、パケットに配置され、パケットデータとして、適応符号化変調部１３に供給されるとともに、再送データバッファ１２に供給され、再送の要求があったときに再送するために記憶される。
そして、制御部１１２は、モード判定部１１１で決定された送信モードで、端末宛の新規のユーザデータを符号化、変調するように、適応符号化変調部１３を制御する。適応符号化変調部１３は、制御部１１２の制御にしたがい、そこに供給される端末宛のユーザデータを符号化、変調し、電力設定部１１３に供給する。電力設定部１１３は、適応符号化変調部１３が出力する信号の送信電力を、例えばデフォルトの値、あるいは、ユーザデータを前回送信したときと同一の値に調整し、拡散部１１に供給する。以下、拡散部１１および送受信共用装置１では、図２で説明した場合と同様の処理が行われ、これにより、ユーザデータは、下りデータチャネルの信号として、アンテナ１４から端末に送信される。
以上のようにして、ユーザデータが送信された後は、ステップＳ１１に戻り、以下、同様の処理が繰り返される。
次に、図１１のフローチャートを参照して、図１０のステップＳ２０における再送処理について説明する。
再送処理では、まず最初に、ステップＳ３１において、受信品質メッセージ抽出部５が、図１０のステップＳ１５における場合と同様に、再送要求メッセージ抽出部４から供給される上り制御チャネルの信号から受信品質メッセージを抽出し、モード判定部１１１に供給する。さらに、ステップＳ３１では、モード判定部１１１が、受信品質メッセージ抽出部５から供給された受信品質メッセージが表す、端末における現在の受信品質を、今回のデータ送信時における端末の受信品質である今回の受信品質Ｑｎｏｗとして認識し、ステップＳ３２に進む。
ステップＳ３２では、モード判定部１１１が、データＳＮＲバッファ１１４に記憶された受信品質を、前回のデータ送信時における端末の受信品質である前回の受信品質Ｑｐｒｖとして読み出す。
ここで、図１０のフローチャートによれば、受信品質メッセージ抽出部５が、ステップＳ１５において受信品質メッセージを抽出するたびに、ステップＳ１８において、その受信品質メッセージが表す受信品質が、データＳＮＲバッファ１１４に上書きされる。従って、図１０のステップＳ１１乃至Ｓ１９の処理が繰り返されている場合に、受信品質メッセージ抽出部５において、最新の受信品質メッセージが抽出され、その最新の受信品質メッセージが表す受信品質が上書きされるまでは、データＳＮＲバッファ１１４には、前回抽出された受信品質メッセージが表す受信品質（前回の受信品質）が記憶されていることになる。
ステップＳ３２の処理後は、ステップＳ３３に進み、モード判定部１１１は、今回の受信品質Ｑｎｏｗが、前回の受信品質Ｑｐｒｖに比較して悪化しているかどうか、即ち、前回の受信品質Ｑｐｒｖと今回の受信品質Ｑｎｏｗとの差分である受信品質差分Ｑｐｒｖ−Ｑｎｏｗを求め、その受信品質差分Ｑｐｒｖ−Ｑｎｏｗが、例えば、所定の０ｄＢ以上の閾値ＴＨｘより大であるかどうかを判定する。
ステップＳ３３において、受信品質差分Ｑｐｒｖ−Ｑｎｏｗが閾値ＴＨｘより大であり、従って、今回の受信品質Ｑｎｏｗが、前回の受信品質Ｑｐｒｖよりも悪化していると判定された場合、モード判定部１１１は、その判定結果を、前回の受信品質Ｑｐｒｖおよび今回の受信品質Ｑｎｏｗとともに、制御部１１２に供給し、ステップＳ３４に進む。
ステップＳ３４では、制御部１１２が、現在、一人のユーザに新たに割り当てることのできる資源としての、下りデータチャネルの最大の送信電力Ｐａｖ１を求め、ステップＳ３５に進む。ステップＳ３５では、制御部１１２が、端末において、ユーザデータを誤りなく受信するのに必要な、下りデータチャネルの送信電力の最小の増加分である必要最小増加電力ｙを、例えば、式ｙ＝Ｑｐｒｖ−Ｑｎｏｗ−ＴＨｘを計算することによって推定する。
ここで、必要最小増加電力ｙの推定式は、上述した式に限定されるものではなく、例えば、式ｙ＝Ｑｐｒｖ−Ｑｎｏｗその他を採用することが可能である。
その後、ステップＳ３６に進み、制御部１１２は、必要最小増加電力ｙが、新たに割り当てることのできる最大の送信電力Ｐａｖ１以下であるかどうかを判定する。ステップＳ３６において、必要最小増加電力ｙが、新たに割り当てることのできる最大の送信電力Ｐａｖ１以下であると判定された場合、ステップＳ３７に進み、制御部１１２は、下りデータチャネルの送信電力の増加分である増加電力Ｐｕｐを、式ｙ≦Ｐｕｐ≦Ｐａｖ１が満たされる範囲で設定し、ステップＳ３８に進む。
ここで、基地局の資源の効率的な利用という観点からは、増加電力Ｐｕｐは、必要最小増加電力ｙとするのが望ましい。また、端末におけるユーザデータの正常受信を重視する簡単からは、増加電力Ｐｕｐは、新たに割り当てることのできる最大の送信電力Ｐａｖ１（により近い値）とするのが望ましい。
ステップＳ３８では、制御部１１２は、電力設定部１１３を制御することにより、送信パラメータの１つとしての下りデータチャネルの送信電力を、増加電力Ｐｕｐだけ増加するように制御し、ステップＳ３９に進む。
ステップＳ３９では、モード判定部１１１が、データＳＮＲバッファ１１４を参照することにより、前回のユーザデータの送信時の送信モード（再送対象のユーザデータを前回送信した時の送信モード）（以下、適宜、前回の送信モードという）を認識し、今回のユーザデータの送信（再送）時の送信モードを、前回の送信モードと同一のものに決定する。さらに、ステップＳ３９では、モード判定部１１１が、決定した送信モードを、制御部１１２に供給して、ステップＳ４０に進む。
ステップＳ４０では、制御部１１２は、データＳＮＲバッファ１１４に記憶されている前回の受信品質Ｑｐｒｖを、Ｑｐｒｖ＝Ｑｐｒｖ＋Ｑｎｏｗ＋Ｐｕｐに更新し、データＳＮＲバッファ１１４に供給して上書きする。
即ち、いまの場合、下りデータチャネルの送信電力を、現在の送信電力から、増加電力Ｐｕｐだけ増加させて、ユーザデータの再送を行おうとしている。この場合、端末では、図６で説明したように、その再送されるユーザデータ（の符号化データ）と、過去に受信されたユーザデータとが合成されるので、その合成されたユーザデータの１ビットあたりのエネルギは、過去に受信されたユーザデータの１ビットあたりのエネルギに、今回の受信品質Ｑｎｏｗと増加電力Ｐｕｐに相当するエネルギを加算した値になると推定される。従って、ユーザデータの再送によって、端末における受信品質は、前回の受信品質Ｑｐｒｖに、今回の受信品質Ｑｎｏｗと増加電力Ｐｕｐを加えた値に改善されると推定される。そこで、ステップＳ４０において、制御部１１２は、前回の受信品質Ｑｐｒｖを、Ｑｐｒｖ＝Ｑｐｒｖ＋Ｑｎｏｗ＋Ｐｕｐに更新する。
さらに、ステップＳ４０では、制御部１１２は、モード判定部１１１から供給された送信モードを、再送標識とともに、制御データ生成部８に供給し、制御データ生成部８は、その送信モードと再送標識を、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
そして、ステップＳ４１に進み、端末に再送すべきユーザデータが、モード判定部１１１で決定された送信モードで送信され、リターンする。
即ち、図１０で説明したように、端末宛のユーザデータは、適応符号化変調部１３に供給される他、再送データバッファ１２にも供給されて記憶される。ステップＳ４１では、制御部１１２は、その再送データバッファ１２に記憶されたユーザデータ（前回、下りデータチャネルで送信され、再送の要求がされたユーザデータ）を、端末に再送すべき再送データとして、適応符号化変調部１３に供給させる。そして、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、ステップＳ３８で制御されたように、再送対象のユーザデータを送信したときの送信電力から増加電力Ｐｕｐだけ増加させ、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して悪化しているが、必要最小増加電力ｙが、新たに割り当てることのできる最大の送信電力Ｐａｖ１以下である場合、即ち、基地局が、下りデータチャネルの送信電力を、必要最小増加電力ｙだけ大きくするだけ資源を有している場合、再送データは、前回のユーザデータの送信時よりも増加電力Ｐｕｐだけ増加した送信電力で、即ち、悪化した受信品質に対応する分だけ増加した送信電力で、前回のユーザデータの送信時と同一の送信モードにより送信される。
そして、この場合、ステップＳ４０において、下り制御チャネルによって送信される送信パラメータには、再送標識が含まれるため、図６の端末では、前述したように、過去に受信されたユーザデータと再送データ（過去に受信されたユーザデータと同一のユーザデータ）とが合成され、合成利得を得ることができる。
即ち、過去に受信されたユーザデータと再送データとが合成されることにより、その合成によって得られるユーザデータの１ビットあたりのエネルギは、過去に受信されたユーザデータの１ビットあたりのエネルギに、今回の受信品質Ｑｎｏｗと増加電力Ｐｕｐに相当するエネルギを加算した値になると推定される。従って、ユーザデータ再送時の伝搬路特性が、前回（あるいは最初）のユーザデータ送信時よりも劣化している場合であっても、過去に受信されたユーザデータと再送データとを合成する利得を得ることが可能となり、これにより、利得がない再送を削減して、伝送効率の改善を図ることができる。
一方、ステップＳ３６において、必要最小増加電力ｙが、新たに割り当てることのできる最大の送信電力Ｐａｖ１以下でないと判定された場合、ステップＳ４２に進み、モード判定部１１１は、図１０のステップＳ１６における場合と同様に、今回の受信品質Ｑｎｏｗに基づき、送信モードを決定し、今回の受信品質Ｑｎｏｗとともに、制御部１１２に供給して、ステップＳ４３に進む。
ステップＳ４３では、制御部１１２が、モード判定部１１１から供給された送信モードを制御データ生成部８に供給し、制御データ生成部８は、その送信モードを、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として、端末に送信される。
なお、この場合、端末に送信される送信パラメータには、再送標識は含められない。これは、後述するステップＳ４５において、再送データが、新たなユーザデータとして送信されるためである。
その後、ステップＳ４４に進み、制御部１１２が、モード判定部１１１から供給された送信モードと端末における今回の受信品質Ｑｎｏｗを、データＳＮＲバッファ１１４に供給し、上書きする形で記憶させ、ステップＳ４５に進む。
ここで、ステップＳ４４においてデータＳＮＲバッファ１４に記憶された今回の受信品質Ｑｎｏｗは、次にステップＳ３２の処理が行われる場合に、前回の受信品質Ｑｐｒｖとして読み出されることになる。
ステップＳ４５では、再送データバッファ１２に記憶された再送データが、モード判定部１１１で決定された送信モードで、新規のデータとして送信され、リターンする。
即ち、ステップＳ４５では、制御部１１２は、再送データバッファ１２に記憶された再送データを、適応符号化変調部１３に供給させる。さらに、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、例えばデフォルトの値、あるいは、前回ユーザデータを送信したときと同一の値に調整し、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して悪化しているが、必要最小増加電力ｙが、新たに割り当てることのできる最大の送信電力Ｐａｖ１以下でない場合、即ち、基地局が、下りデータチャネルの送信電力を、必要最小増加電力ｙだけ大きくするだけ資源を有していない場合、再送データは、デフォルトまたは前回のユーザデータの送信時と同一の送信電力で、かつ今回の受信品質Ｑｎｏｗに基づいて決定された送信モードで送信される。さらに、この場合、ステップＳ４３において、下り制御チャネルによって送信される送信パラメータは、再送標識は含まれないため、端末において、再送データは、過去に受信されたユーザデータと合成されず、即ち、新たに送信されてきた新規のユーザデータとして処理されることになる。
一方、ステップＳ３３において、受信品質差分Ｑｐｒｖ−Ｑｎｏｗが閾値ＴＨｘより大でないと判定された場合、即ち、今回の受信品質Ｑｎｏｗが、前回の受信品質Ｑｐｒｖに比較して、それほど悪化していないか、あるいは、むしろ良化している場合、モード判定部１１１は、その判定結果を、今回の受信品質Ｑｎｏｗおよび前回の受信品質Ｑｐｒｖとともに、制御部１１２に供給し、ステップＳ４６に進む。
ステップＳ４６では、モード判定部１１１が、データＳＮＲバッファ１１４を参照することにより、前回の送信モードを認識し、今回のユーザデータの送信（再送）時の送信モードを、前回の送信モードと同一のものに決定する。さらに、ステップＳ４６では、モード判定部１１１が、決定した送信モードを、制御部１１２に供給して、ステップＳ４７に進む。
ステップＳ４７では、制御部１１２は、前回の受信品質Ｑｐｒｖを、Ｑｐｒｖ＝Ｑｐｒｖ＋Ｑｎｏｗに更新し、データＳＮＲバッファ１１４に供給して上書きする。
即ち、いまの場合、下りデータチャネルの送信電力を、現在の送信電力のまま、つまり、前回のユーザデータの送信時と同一の送信電力で、ユーザデータの再送を行おうとしている。この場合、端末では、図６で説明したように、その再送されるユーザデータと、過去に受信されたユーザデータとが合成されるので、その合成されたユーザデータの１ビットあたりのエネルギは、過去に受信されたユーザデータの１ビットあたりのエネルギに、今回の受信品質Ｑｎｏｗに相当するエネルギを加算した値になると推定される。従って、ユーザデータの再送によって、端末における受信品質は、前回の受信品質Ｑｐｒｖに、今回の受信品質Ｑｎｏｗを加えた値に改善されると推定される。そこで、ステップＳ４７において、制御部１１２は、前回の受信品質Ｑｐｒｖを、Ｑｐｒｖ＝Ｑｐｒｖ＋Ｑｎｏｗに更新する。
さらに、ステップＳ４７では、制御部１１２は、モード判定部１１１から供給された送信モードを、再送標識とともに、制御データ生成部８に供給し、制御データ生成部８は、その送信モードと再送標識を、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
そして、ステップＳ４１に進み、上述したように、端末に再送すべきユーザデータが、モード判定部１１１で決定された送信モードで送信され、リターンする。
即ち、ステップＳ４１では、制御部１１２は、再送データバッファ１２に記憶された再送データを、適応符号化変調部１３に供給させる。さらに、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、例えば、前回ユーザデータを送信したときと同一の値に調整し、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して、それほど悪化していないか、あるいは、むしろ良化している場合、再送データは、前回のユーザデータの送信時と同一の送信電力で、かつ前回のユーザデータの送信時と同一の送信モードで送信される。
そして、この場合、ステップＳ４７において、下り制御チャネルによって送信される送信パラメータには、再送標識が含まれるため、図６の端末では、前述したように、過去に受信されたユーザデータと再送データ（過去に受信されたユーザデータと同一のユーザデータ）とが合成され、合成利得を得ることができる。
即ち、過去に受信されたユーザデータと再送データとが合成されることにより、その合成によって得られるユーザデータの１ビットあたりのエネルギは、過去に受信されたユーザデータの１ビットあたりのエネルギに、今回の受信品質Ｑｎｏｗに相当するエネルギを加算した値になると推定される。そして、今回のケースは、今回の受信品質Ｑｎｏｗが、前回の受信品質Ｑｐｒｖに比較して、それほど悪化していないか、あるいは、むしろ良化している場合であるから、過去に受信されたユーザデータと再送データとを合成することによって合成利得を得ることが可能であり、これにより、利得がない再送を削減して、伝送効率の改善を図ることができる。
次に、図１２は、図１０のステップＳ２０における再送処理の第２実施の形態を示すフローチャートである。
図１１の実施の形態では、端末において、再送データと過去に受信されたユーザデータとが合成された場合の受信品質を、１回目のユーザデータの送信（最初のユーザデータの送信）から前回のユーザデータの再送までのデータの各送信時の受信品質を積算することによって推定するようにしたが、図１２の実施の形態では、１回目のデータの送信時の受信品質が、そのまま、端末における受信品質の推定値として用いられるようになっている。
即ち、図１１の実施の形態では、ステップＳ４０において、前回の受信品質Ｑｐｒｖを、式Ｑｐｒｖ＝Ｑｐｒｖ＋Ｑｎｏｗ＋Ｐｕｐを演算することによって更新し、あるいは、ステップＳ４７において、式Ｑｐｒｖ＝Ｑｐｒｖ＋Ｑｎｏｗを演算することによって更新するようにしたが、図１２の実施の形態では、前回の受信品質Ｑｐｒｖとして、１回目のユーザデータの送信するときの送信モードを決定するのに用いられた受信品質が、そのまま用いられるようになっている。
従って、図１２の再送処理では、ステップＳ４０またはＳ４７に対応するステップＳ６０またはＳ６７それぞれにおいて、再送データバッファ１２に記憶された前回の受信品質Ｑｐｒｖが更新されずに、そのままとされる他は、ステップＳ５１乃至Ｓ６７において、図１１のステップＳ３１乃至Ｓ４７における場合とそれぞれ同様の処理が行われるため、その説明は省略する。
図１１の実施の形態では、端末において、再送データと過去に受信されたユーザデータとが合成されることから、ステップＳ４０およびＳ４７では、その合成による利得を考慮し、端末における受信品質が、原理的には、過去の受信品質Ｑｐｒｖに、現在の受信品質Ｑｎｏｗを順次積算していくことによって推定される。
しかしながら、端末から送信されてくる受信品質メッセージが表す受信品質Ｑｎｏｗは、ユーザデータの送信時よりも、数フレームに対応する時間だけ前の時刻のものであり、このため、端末が再送データを受信したときの真の受信品質は、端末から送信されてくる受信品質メッセージが表す受信品質Ｑｎｏｗから変化していることがある。このように実際の受信品質が、受信品質メッセージが表す受信品質から変化している、端末における受信品質を、過去の受信品質Ｑｐｒｖに、現在の受信品質Ｑｎｏｗを積算していくことによって推定すると、その推定値の信頼性が低下する。
そこで、このように、過去の受信品質Ｑｐｒｖに現在の受信品質Ｑｎｏｗを積算していくことによって得られる受信品質の推定値の信頼性が低いケース等においては、図１２の実施の形態における場合のように、１回目のデータの送信時の受信品質を、そのまま、端末における受信品質の推定値として用いることができる。
図１２の再送処理によっても、図１１における場合と同様に、利得がない再送を削減して、伝送効率の改善を図ることができる。
なお、図１１の実施の形態では、ステップＳ３３において、１回目のデータの送信から前回のデータの再送までのデータの各送信時の受信品質の積算値を、前回の受信品質Ｑｐｒｖとして、その前回の受信品質Ｑｐｒｖと今回の受信品質Ｑｎｏｗとの差分が、受信品質差分Ｑｐｒｖ−Ｑｎｏｗとして求められるが、図１２の実施の形態では、図１１のステップＳ３３に対応するステップＳ５３において、１回目のデータの送信時の受信品質を、そのまま、前回の受信品質Ｑｐｒｖとして、その前回の受信品質Ｑｐｒｖと今回の受信品質Ｑｎｏｗとの差分が、受信品質差分Ｑｐｒｖ−Ｑｎｏｗとして求められることになる。
次に、図１３は、図１０のステップＳ２０における再送処理の第３実施の形態を示すフローチャートである。
図１１および図１２の実施の形態では、受信品質差分Ｑｐｒｖ−Ｑｎｏｗに基づき、再送時における送信パラメータのうちの下りデータチャネルの送信電力が制御されるようになっていたが、図１３の実施の形態では、受信品質差分Ｑｐｒｖ−Ｑｎｏｗに基づき、再送時における送信パラメータのうちの送信モードが制御されるようになっている。
即ち、図１３の実施の形態では、ステップＳ９１乃至Ｓ９３において、図１１のステップＳ３１乃至Ｓ３３における場合とそれぞれ同様の処理が行われる。
そして、ステップＳ３３に対応するステップＳ９３において、受信品質差分Ｑｐｒｖ−Ｑｎｏｗが閾値ＴＨｘより大であり、従って、今回の受信品質Ｑｎｏｗが、前回の受信品質Ｑｐｒｖよりも悪化していると判定された場合、モード判定部１１１は、その判定結果を、今回の受信品質Ｑｎｏｗとともに、制御部１１２に供給し、ステップＳ９４に進む。
ステップＳ９４では、モード判定部１１１が、データＳＮＲバッファ１１４を参照することにより、前回の送信モードを認識し、その前回の送信モードよりも、例えば、２モードだけ低い送信モードが存在するかどうかを判定する。
ここで、前述の図３では、説明を簡単にするため、３つの送信モードしか存在しないものとして説明を行ったが、ここでは、３以上の多数の送信モードが存在するものとする。また、送信モードは、その値が小さいほど、端末における受信品質が一定であれば、ユーザデータの誤り率が統計的に低くなる符号化率や変調方式、即ち、小さい符号化率や、シンボル間距離が長い変調方式が割り当てられているものとする。この場合、送信モードの値が小さいほど、雑音特性は向上するが、データ伝送効率は低下する。逆に、送信モードの値が大きいほど、データ伝送効率は向上するが、雑音特性は劣化する。
ステップＳ９４において、前回の送信モードよりも、２モードだけ低い送信モードが存在しないと判定された場合、ステップＳ９９に進み、以下、後述する処理が行われる。
また、ステップＳ９４において、前回の送信モードよりも、２モードだけ低い送信モードが存在すると判定された場合、ステップＳ９５に進み、モード判定部１１１は、今回のユーザデータの送信（再送）時の送信モードを、前回の送信モードより２モードだけ低い送信モードに決定する。さらに、ステップＳ９５では、モード判定部１１１が、決定した送信モードを、制御部１１２に供給して、ステップＳ９６に進む。
ステップＳ９６では、制御部１１２は、モード判定部１１１から供給された送信モードを、再送標識とともに、制御データ生成部８に供給し、制御データ生成部８は、その送信モードと再送標識を、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
その後、ステップＳ９７に進み、制御部１１２が、モード判定部１１１から供給された送信モードと端末における今回の受信品質Ｑｎｏｗを、データＳＮＲバッファ１１４に供給し、上書きする形で記憶させ、ステップＳ９８に進む。
ステップＳ９８では、端末に再送すべきユーザデータが、モード判定部１１１で決定された送信モードで送信され、リターンする。
即ち、ステップＳ９８では、制御部１１２は、再送データバッファ１２に記憶された再送データを、適応符号化変調部１３に供給させる。さらに、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、例えば、デフォルトまたは前回ユーザデータを送信したときと同一の値に調整し、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して悪化している場合には、端末におけるユーザデータの誤り率が（受信品質が一定ならば）大きく低下する送信モード（ここでは、前回の送信モードよりも２モードだけ低い送信モード）によって、再送データが送信される。
そして、この場合、ステップＳ９６において、下り制御チャネルによって送信される送信パラメータには、再送標識が含まれるため、図６の端末では、前述したように、過去に受信されたユーザデータと再送データ（過去に受信されたユーザデータと同一のユーザデータ）とが合成され、合成利得を得ることが可能となり、これにより、利得がない再送を削減して、伝送効率の改善を図ることができる。
ここで、この場合、前回のユーザデータの送信時の送信モードと、今回のユーザデータの送信時（再送時）の送信モードとが異なることとなるが、例えば、図６で説明したように、ユーザデータ復調復号部３９において、ユーザデータを符号化した符号化データの状態で、ユーザデータどうしの合成を行うことにより、前回のユーザデータと今回のユーザデータ（再送データ）とで、それぞれの送信モードが異なっていても、それらの合成は可能である。
なお、図６の端末において、ユーザデータの合成は、ユーザデータ復調復号部３９において復調され、さらに復号されたユーザデータを用いて行うことも可能である。但し、この場合には、合成するユーザデータの送信モードが同一である必要がある。図１１の実施の形態では（図１２についても同様）、ステップＳ４１において再送データが送信されるときの送信モードが、前回のユーザデータの送信時と同一であり、従って、図６の端末におけるユーザデータの合成は、ユーザデータ復調復号部３９で復調だけされた状態でも、さらには復号もされた状態であっても行うことができる。
一方、ステップＳ９３において、受信品質差分Ｑｐｒｖ−Ｑｎｏｗが閾値ＴＨｘより大でないと判定された場合、即ち、今回の受信品質Ｑｎｏｗが、前回の受信品質Ｑｐｒｖに比較して、それほど悪化していないか、あるいは、むしろ良化している場合、モード判定部１１１は、その判定結果を、今回の受信品質Ｑｎｏｗとともに、制御部１１２に供給し、ステップＳ９９に進む。
ステップＳ９９では、モード判定部１１１が、データＳＮＲバッファ１１４を参照することにより、前回の送信モードを認識し、その前回の送信モードよりも、例えば、１モードだけ低い送信モードが存在するかどうかを判定する。
ステップＳ９９において、前回の送信モードよりも、１モードだけ低い送信モードが存在すると判定された場合、ステップＳ１００に進み、モード判定部１１１は、今回のユーザデータの送信（再送）時の送信モードを、前回の送信モードより１モードだけ低い送信モードに決定する。さらに、ステップＳ１００では、モード判定部１１１が、決定した送信モードを、制御部１１２に供給して、ステップＳ９６に進み、以下、ステップＳ９６乃至Ｓ９８において、上述した場合と同様の処理が行われ、リターンする。
従って、今回の受信品質Ｑｎｏｗが、前回の受信品質Ｑｐｒｖに比較して、それほど悪化していないか、あるいは、むしろ良化している場合には、端末におけるユーザデータの誤り率が（受信品質が一定ならば）幾分か低下する送信モード（ここでは、前回の送信モードよりも１モードだけ低い送信モード）によって、再送データが送信される。
そして、この場合も、図６の端末では、前述したように、過去に受信されたユーザデータと再送データ（過去に受信されたユーザデータと同一のユーザデータ）とが合成されるので、合成利得を得ることが可能となり、これにより、利得がない再送を削減して、伝送効率の改善を図ることができる。
一方、ステップＳ９９において、前回の送信モードよりも、１モードだけ低い送信モードが存在しないと判定された場合、即ち、前回の送信モードが、最も低い送信モードである場合、ステップＳ１０１に進み、モード判定部１１１は、今回のユーザデータの送信（再送）時の送信モードを、前回の送信モードと同一の送信モードに決定する。さらに、ステップＳ１０１では、モード判定部１１１が、決定した送信モードを、制御部１１２に供給して、ステップＳ９６に進み、以下、ステップＳ９６乃至Ｓ９８において、上述した場合と同様の処理が行われ、リターンする。
従って、再送が要求されたが、送信モードを、前回の送信モードよりも下げることができない場合には、その前回の送信モードと同一の送信モードによって、再送データが送信される。
なお、図１３の実施の形態では、受信品質差分Ｑｐｒｖ−Ｑｎｏｗと閾値ＴＨｘとの大小関係に応じて、再送時の送信モードを、前回の送信モードよりも１または２モードだけ下げるようにしたが、再送時の送信モードは、その他、前回の送信モードよりも任意のモード数だけ下げる、または上げることが可能である。
また、図１３の実施の形態では、受信品質差分Ｑｐｒｖ−Ｑｎｏｗと、１つの閾値ＴＨｘとの大小関係に応じて、再送時の送信モードを、前回の送信モードよりも１または２モードだけ下げるようにしたが、その他、例えば、受信品質差分Ｑｐｒｖ−Ｑｎｏｗを、複数の閾値と比較し、受信品質差分Ｑｐｒｖ−Ｑｎｏｗがどのような範囲内の値であるかによって、再送時の送信モードを制御するようにすることが可能である。
さらに、図１３の実施の形態では、ステップＳ９７において、今回の受信品質Ｑｎｏｗを、データＳＮＲバッファ１１４に上書きすることにより、データＳＮＲバッファ１１４に記憶された前回の受信品質Ｑｐｒｖを、今回の受信品質Ｑｎｏｗに更新するようにしたが（Ｑｐｒｖ＝Ｑｎｏｗ）、上述のように、送信モードを変化させて再送を行い、かつ端末において、異なる送信モードで送信されたユーザデータ（再送データ）どうしが合成される場合には、データＳＮＲバッファ１１４に記憶された前回の受信品質Ｑｐｒｖは、例えば、式Ｑｐｒｖ＝Ｑｐｒｖ＋Ｑｎｏｗ×（ｄａｔａ＿ｎｅｗ／ｄａｔａ＿ｏｒｉｇｉｎａｌ）によって更新することが可能である。なお、ｄａｔａ＿ｎｅｗは、再送データのデータ量（誤り訂正符号を除く本来のデータのデータ量）を表し、ｄａｔａ＿ｏｒｉｇｉｎａｌは、その前に送信されたユーザデータのデータ量を表す。
次に、図１４は、図１０のステップＳ２０における再送処理の第４実施の形態を示すフローチャートである。
ここで、図１１および図１２の実施の形態では、受信品質差分Ｑｐｒｖ−Ｑｎｏｗに基づいて、再送時の送信電力が制御され、図１３の実施の形態では、受信品質差分Ｑｐｒｖ−Ｑｎｏｗに基づいて、再送時の送信モードが制御されるようになっていたが、図１４の実施の形態では、受信品質差分Ｑｐｒｖ−Ｑｎｏｗに基づく、再送時の送信電力と送信モードの両方の制御が可能となっている。
即ち、いま、図１１または図１２の再送処理を、送信電力変更による再送処理というとともに、図１３の再送処理を、送信モード変更による再送処理というものとすると、図１４の実施の形態では、まず最初に、ステップＳ１１１において、制御部１１２が、基地局の資源に余裕があるかどうかを判定する。
ステップＳ１１１において、基地局の資源に余裕があると判定された場合、ステップＳ１１２に進み、図１１または図１２で説明した送信電力変更による再送処理が行われ、リターンする。
また、ステップＳ１１１において、基地局の資源に余裕がないと判定された場合、ステップＳ１１３に進み、図１３で説明した送信モード変更による再送処理が行われ、リターンする。
従って、図１４の実施の形態によれば、基地局に十分な資源がある場合には、送信電力変更による再送処理が行われ、基地局に十分な資源がない場合には、送信モード変更による再送処理が行われるので、基地局の資源に応じた再送処理が可能となる。
なお、図１４の実施の形態では、基地局の資源に応じて、送信電力変更による再送処理、または送信モード変更による再送処理を行うようにしたが、その他、例えば、基地局との通信を行っている端末の数などに応じて、送信電力変更による再送処理、または送信モード変更による再送処理を行うようにすること等が可能である。
また、再送処理においては、送信電力または送信モードのうちのいずれか一方だけを変更（制御）するのではなく、その両方を、同時に変更するようにすることが可能である。
さらに、ステップＳ１１２における送信電力変換による再送処理では、図１１または図１２に示した再送処理の他、次に説明する図１５の再送処理を行うようにしても良い。
次に、図１５は、図１０のステップＳ２０における再送処理の第５実施の形態を示すフローチャートである。
図１１および図１２の実施の形態では、受信品質差分Ｑｎｏｗ−Ｑｐｒｖが閾値ＴＨｘより大でない場合、即ち、今回の受信品質Ｑｎｏｗが、前回の受信品質Ｑｐｒｖに比較して、それほど悪化していないか、あるいは、むしろ良化している場合には、再送データを、前回ユーザデータを送信したときと同一の送信電力で送信するようにしたが、図１５の実施の形態では、今回の受信品質Ｑｎｏｗが、前回の受信品質Ｑｐｒｖに比較して良化している場合には、再送データを、前回ユーザデータを送信したときよりも小さい送信電力で送信するようになっている。
即ち、図１５の再送処理では、ステップＳ１２１乃至Ｓ１３５において、図１１のステップＳ３１乃至Ｓ４５における場合とそれぞれ同様の処理が行われる。
そして、ステップＳ３３に対応するステップＳ１２３において、受信品質差分Ｑｐｒｖ−Ｑｎｏｗが閾値ＴＨｘより大でないと判定された場合、即ち、今回の受信品質Ｑｎｏｗが、前回の受信品質Ｑｐｒｖに比較して、それほど悪化していないか、あるいは、むしろ良化している場合、モード判定部１１１は、その判定結果を、今回の受信品質Ｑｎｏｗおよび前回の受信品質Ｑｐｒｖとともに、制御部１１２に供給し、ステップＳ１３６に進む。
ステップＳ１３６では、図１１のステップＳ４６における場合と同様に、モード判定部１１１が、データＳＮＲバッファ１１４を参照することにより、前回の送信モードを認識し、今回のユーザデータの送信（再送）時の送信モードを、前回の送信モードと同一のものに決定する。さらに、ステップＳ１３６では、モード判定部１１１が、決定した送信モードを、制御部１１２に供給して、ステップＳ１３７に進む。
ステップＳ１３７では、制御部１１２が、今回の受信品質Ｑｎｏｗが、前回の受信品質Ｑｐｒｖよりも大きいかどうか、即ち、受信品質が良化しているかどうかを判定する。
ステップＳ１３７において、今回の受信品質Ｑｎｏｗが、前回の受信品質Ｑｐｒｖよりも大きくないと判定された場合、即ち、受信品質が、良化はしていないが、それほど大きな悪化もしていない場合、ステップＳ１３８，Ｓ１３１に順次進み、図１１のステップＳ４７，Ｓ４１における場合とそれぞれ同様の処理が行われ、これにより、再送データが、前回ユーザデータを送信したときと同一の送信電力で送信される。
即ち、ステップＳ１３８では、図１１のステップＳ４７における場合と同様に、制御部１１２が、前回の受信品質Ｑｐｒｖを、Ｑｐｒｖ＝Ｑｐｒｖ＋Ｑｎｏｗに更新し、データＳＮＲバッファ１１４に供給して上書きする。
さらに、ステップＳ１３８では、制御部１１２は、モード判定部１１１から供給された送信モードを、再送標識とともに、制御データ生成部８に供給し、制御データ生成部８は、その送信モードと再送標識を、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
そして、ステップＳ１３８からＳ１３１に進み、図１１のステップＳ４１で説明したように、端末に再送すべきユーザデータが、モード判定部１１１で決定された送信モードで送信され、リターンする。
即ち、ステップＳ１３１では、制御部１１２は、再送データバッファ１２に記憶された再送データを、適応符号化変調部１３に供給させる。さらに、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、例えば、前回ユーザデータを送信したときと同一の値に調整し、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して、それほど悪化していないが、良化もしていない場合、再送データは、前回のユーザデータの送信時と同一の送信電力で、かつ前回のユーザデータの送信時と同一の送信モードで送信される。
そして、この場合、ステップＳ１３８において、下り制御チャネルによって送信される送信パラメータには、再送標識が含まれるため、図６の端末では、前述したように、過去に受信されたユーザデータと再送データ（過去に受信されたユーザデータと同一のユーザデータ）とが合成され、合成利得を得ることができる。
即ち、過去に受信されたユーザデータと再送データとが合成されることにより、その合成によって得られるユーザデータの１ビットあたりのエネルギは、過去に受信されたユーザデータの１ビットあたりのエネルギに、今回の受信品質Ｑｎｏｗに相当するエネルギを加算した値になると推定される。そして、今回のケースは、今回の受信品質Ｑｎｏｗが、前回の受信品質Ｑｐｒｖに比較して、それほど悪化していないが、良化もしていない場合、即ち、今回の受信品質Ｑｎｏｗが、前回の受信品質Ｑｐｒｖとそれほど変わらない場合であるから、過去に受信されたユーザデータと再送データとを合成することによって合成利得を得ることが可能であり、これにより、利得がない再送を削減して、伝送効率の改善を図ることができる。
一方、ステップＳ１３７において、今回の受信品質Ｑｎｏｗが、前回の受信品質Ｑｐｒｖよりも大きいと判定された場合、即ち、受信品質が良化している場合、ステップＳ１３９に進み、制御部１１２は、下りデータチャネルの送信電力の減少分である減少電力Ｐｄｏｗｎを、例えば、式Ｐｄｏｗｎ＝Ｑｎｏｗ−Ｑｐｒｖを計算することによって求める。さらに、ステップＳ１３９では、制御部１１２は、電力設定部１１３を制御することにより、送信パラメータの１つとしての下りデータチャネルの送信電力を、減少電力Ｐｄｏｗｎだけ減少するように制御し、ステップＳ１４０に進む。
ステップＳ１４０では、制御部１１２が、前回の受信品質Ｑｐｒｖを、Ｑｐｒｖ＝Ｑｐｒｖ＋Ｑｎｏｗ−Ｐｄｏｗｎに更新し、データＳＮＲバッファ１１４に供給して上書きする。
即ち、いまの場合、下りデータチャネルの送信電力を、再送対象のユーザデータを前回送信したときの送信電力から、減少電力Ｐｄｏｗｎだけ減少させて、ユーザデータの再送を行おうとしている。この場合、端末では、図６で説明したように、その再送されるユーザデータ（の符号化データ）と、過去に受信されたユーザデータとが合成されるので、その合成されたユーザデータの１ビットあたりのエネルギは、過去に受信されたユーザデータの１ビットあたりのエネルギに、今回の受信品質Ｑｎｏｗから増加電力Ｐｕｐを減算した減算値に相当するエネルギを加算した値になると推定される。従って、ユーザデータの再送によって、端末における受信品質は、前回の受信品質Ｑｐｒｖに、今回の受信品質Ｑｎｏｗを加算し、さらに減少電力Ｐｄｏｗｎを減算した値に改善されると推定される。そこで、ステップＳ１４０において、制御部１１２は、前回の受信品質Ｑｐｒｖを、Ｑｐｒｖ＝Ｑｐｒｖ＋Ｑｎｏｗ−Ｐｄｏｗｎに更新する。
さらに、ステップＳ１４０では、制御部１１２は、モード判定部１１１から供給された送信モードを、再送標識とともに、制御データ生成部８に供給し、制御データ生成部８は、その送信モードと再送標識を、送信時における基地局の各種のパラメータを表す送信パラメータに含め、その送信パラメータを含む制御データを生成する。この制御データは、制御データ生成部８から、符号化変調部９、電力調整部１０、拡散部１１、および送受信共用装置１を介して、アンテナ１４に供給され、アンテナ１４から、下り制御チャネルの信号として送信される。
そして、ステップＳ１４０からＳ１３１に進み、図１１のステップＳ４１で説明したように、端末に再送すべきユーザデータが、モード判定部１１１で決定された送信モードで送信され、リターンする。
即ち、ステップＳ１３１では、制御部１１２は、再送データバッファ１２に記憶された再送データを、適応符号化変調部１３に供給させる。さらに、制御部１１２は、モード判定部１１１で決定された送信モードで、再送データを符号化、変調するように、適応符号化変調部１３を制御する。適応符号化変調部１３は、制御部１１２の制御にしたがい、そこに供給される再送データを符号化、変調し、電力設定部１１３に供給する。電力設定部１１３は、適応符号化変調部１３が出力する信号の送信電力を、ステップＳ１３９で制御されたように、再送対象のユーザデータを前回送信したときの送信電力から減少電力Ｐｄｏｗｎだけ減少させ、拡散部１１に供給する。以下、拡散部１１および送受信共用装置１では、図２で説明した場合と同様の処理が行われ、これにより、再送データは、下りデータチャネルの信号として、アンテナ１４から端末に送信される。
従って、今回の受信品質Ｑｎｏｗが、前回の受信品質Ｑｐｒｖに比較して良化している場合、再送データは、前回のユーザデータの送信時よりも、良化している受信品質の分だけ小さい送信電力で送信される。
そして、この場合、ステップＳ１４０において、下り制御チャネルによって送信される送信パラメータには、再送標識が含まれるため、図６の端末では、前述したように、過去に受信されたユーザデータと再送データ（過去に受信されたユーザデータと同一のユーザデータ）とが合成され、合成利得を得ることができる。
さらに、この場合、再送時の送信電力が減少されるので、端末におけるユーザデータの正常受信に必要な送信電力以上の送信電力によって再送が行われることを防止することが可能となる。従って、いわば無駄な送信電力を消費することを防止して、他の端末に対する送信電力の割り当てを可能とし、送信電力の効率的な制御が可能となる。
即ち、今回の受信品質Ｑｎｏｗが、前回の受信品質Ｑｐｒｖに比較して良化している場合には、送信電力を、前回のユーザデータの送信時よりも減少電力Ｐｄｏｗｎ（＝Ｑｎｏｗ−Ｑｐｒｖ）だけ小さく小さくしても、端末において、受信品質が良化している分、十分な合成利得を得ることができる確率が極めて高い。そこで、今回の受信品質Ｑｎｏｗが、前回の受信品質Ｑｐｒｖに比較して良化している場合には、再送データの送信電力を、前回のユーザデータの送信時より小さくすることで、十分な合成利得を得ることが可能となるとともに、送信電力の効率的な利用を図ることが可能となる。
次に、上述したモード判定部１１１および制御部１１２などの処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
そこで、図１６は、上述した一連の処理を実行するプログラムがインストールされるコンピュータの一実施の形態の構成例を示している。
プログラムは、コンピュータに内蔵されている記録媒体としてのハードディスク２０５やＲＯＭ２０３に予め記録しておくことができる。
あるいはまた、プログラムは、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体２１１に、一時的あるいは永続的に格納（記録）しておくことができる。このようなリムーバブル記録媒体２１１は、いわゆるパッケージソフトウェアとして提供することができる。
なお、プログラムは、上述したようなリムーバブル記録媒体２１１からコンピュータにインストールする他、ダウンロードサイトから、ディジタル衛星放送用の人工衛星を介して、コンピュータに無線で転送したり、ＬＡＮ（Ｌｏｃａｌ  Ａｒｅａ  Ｎｅｔｗｏｒｋ）、インターネットといったネットワークを介して、コンピュータに有線で転送し、コンピュータでは、そのようにして転送されてくるプログラムを、通信部２０８で受信し、内蔵するハードディスク２０５にインストールすることができる。
コンピュータは、ＣＰＵ（Ｃｅｎｔｒａｌ  Ｐｒｏｃｅｓｓｉｎｇ  Ｕｎｉｔ）２０２を内蔵している。ＣＰＵ２０２には、バス２０１を介して、入出力インタフェース２１０が接続されており、ＣＰＵ２０２は、入出力インタフェース２１０を介して、ユーザによって、キーボードや、マウス、マイク等で構成される入力部２０７が操作等されることにより指令が入力されると、それにしたがって、ＲＯＭ（Ｒｅａｄ  Ｏｎｌｙ  Ｍｅｍｏｒｙ）２０３に格納されているプログラムを実行する。あるいは、また、ＣＰＵ２０２は、ハードディスク２０５に格納されているプログラム、衛星若しくはネットワークから転送され、通信部２０８で受信されてハードディスク２０５にインストールされたプログラム、またはドライブ２０９に装着されたリムーバブル記録媒体２１１から読み出されてハードディスク２０５にインストールされたプログラムを、ＲＡＭ（Ｒａｎｄｏｍ  Ａｃｃｅｓｓ  Ｍｅｍｏｒｙ）２０４にロードして実行する。これにより、ＣＰＵ２０２は、上述したフローチャートにしたがった処理、あるいは上述したブロック図の構成により行われる処理を行う。そして、ＣＰＵ２０２は、その処理結果を、必要に応じて、例えば、入出力インタフェース２１０を介して、ＬＣＤ（Ｌｉｑｕｉｄ  Ｃｒｙｓｔａｌ  Ｄｉｓｐｌａｙ）やスピーカ等で構成される出力部２０６から出力、あるいは、通信部２０８から送信、さらには、ハードディスク２０５に記録等させる。
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
また、プログラムは、１のコンピュータにより処理されるものであっても良いし、複数のコンピュータによって分散処理されるものであっても良い。さらに、プログラムは、遠方のコンピュータに転送されて実行されるものであっても良い。
なお、本発明は、基地局において、端末の受信品質を取得することができ、Ｈｙｂｒｉｄ−ＡＲＱを採用する、あらゆる通信システムに適用可能である。
ここで、例えば、Ｗ−ＣＤＭＡ方式などでは、端末から基地局に対して、端末における受信品質を表す受信品質メッセージが送信されてくるので、その受信品質メッセージから、受信品質を取得することができる。
一方、例えば、ＨＤＲ（Ｈｉｇｈ  Ｄａｔａ  Ｒａｔｅ）方式では、端末において、その受信品質に基づき、基地局に要求する送信モードが決定され、その送信モードが、基地局に送信されてくるが、この場合でも、基地局では、端末からの送信モードから、端末における受信品質を推定することができる。
従って、本発明は、Ｗ−ＣＤＭＡ方式のような、受信品質メッセージを端末から送信してくる通信システムに適用することができることは勿論、送信モードを端末から送信してくる通信システムにも適用可能である。
産業上の利用可能性
以上の如く、本発明によれば、利得がない再送を削減して、伝送効率の改善を図ることが可能となる。
【図面の簡単な説明】
図１は、従来のデータ伝送を説明する図である。
図２は、従来の基地局の一例の構成を示すブロック図である。
図３は、送信モードの例を示す図である。
図４Ａは、ＱＰＳＫ変調方式によるデータのマッピングを示す図である。
図４Ｂは、１６ＱＡＭ変調方式によるデータのマッピングを示す図である。
図５は、適応符号化変調部１３の構成例を示すブロック図である。
図６は、従来の端末の一例の構成を示すブロック図である。
図７は、端末でのデータ受信処理を説明するフローチャートである。
図８は、本発明を適用した基地局の一実施の形態の構成例を示すブロック図である。
図９は、データ再送処理と受信品質の関係の具体例を示す図である。
図１０は、基地局の処理を説明するフローチャートである。
図１１は、再送処理の第１実施の形態を示すフローチャートである。
図１２は、再送処理の第２実施の形態を示すフローチャートである。
図１３は、再送処理の第３実施の形態を示すフローチャートである。
図１４は、再送処理の第４実施の形態を示すフローチャートである。
図１５は、再送処理の第５実施の形態を示すフローチャートである。
図１６は、本発明を適用したコンピュータの一実施の形態の構成例を示すブロック図である。
【図１】
0004144525.tif 000002
【図２】
0004144525.tif 000003
【図３】
0004144525.tif 000004
【図４Ａ】
0004144525.tif 000005
【図４Ｂ】
0004144525.tif 000006
【図５】
0004144525.tif 000007
【図６】
0004144525.tif 000008
【図７】
0004144525.tif 000009
【図８】
0004144525.tif 000010
【図９】
0004144525.tif 000011
【図１０】
0004144525.tif 000012
【図１１】
0004144525.tif 000013
【図１２】
0004144525.tif 000014
【図１３】
0004144525.tif 000015
【図１４】
0004144525.tif 000016
【図１５】
0004144525.tif 000017
【図１６】
0004144525.tif 000018